(57)【要約】【課題】ＯＦＤＭ変調方式の地上デジタル放送波の品質の高い監視を遠方監視により効率的に行うことができる地上デジタル放送波監視装置を提供する。【解決手段】ＯＦＤＭ復調部１６が出力する、転送レートを約８０Ｍbpsとするコンスタレーションデータを画像生成部１８で処理して画像サイズを２５６ビット（Ｘ軸）×２５６ビット（Ｙ軸）＝６５Ｋビットとする２値画像のコンスタレーション画像を生成し、その全部又は一部を監視用ホストＰＣ１に転送する。【選択図】          図２
2005123937.tif 000002
【特許請求の範囲】
【請求項１】
受信した地上デジタル放送波から得られるコンスタレーションデータから２値画像のコンスタレーション画像を生成する画像生成部と、
該画像生成部で生成されたコンスタレーション画像の監視用ホスト装置への転送制御を行う転送制御部を有することを特徴とする地上デジタル放送波監視装置。
【請求項２】
前記転送制御部は、前記画像生成部で生成されたコンスタレーション画像の一部分を前記監視用ホスト装置に転送するように制御することを特徴とする請求項１記載の地上デジタル放送波監視装置。
【請求項３】
前記コンスタレーション画像は、変調方式ごとに決められていることを特徴とする請求項２記載の地上デジタル放送波監視装置。
【請求項４】
前記転送制御部は、前記画像生成部のコンスタレーション画像領域を複数の領域に分割し、前記画像生成部でコンスタレーション画像が生成されるごとに各分割領域を順に選択してなる１分割領域のコンスタレーション画像を前記監視用ホスト装置に転送するように制御することを特徴とする請求項２記載の地上デジタル放送波監視装置。
【請求項５】
前記画像生成部にＳＰデータを与えるときは、前記画像生成部は２値画像のＳＰデータ画像を生成し、前記転送制御部は前記ＳＰデータ画像の前記監視用ホスト装置への転送制御を行うことを特徴とする請求項１記載の地上デジタル放送波監視装置。
【発明の詳細な説明】
【技術分野】
【０００１】
本発明は、ＯＦＤＭ（Orthogonal Frequency Division Multiplexing：直交周波数分割多重化）変調方式の地上デジタル放送波の品質劣化を監視するための装置に関する。
【背景技術】
【０００２】
例えば、アナログ放送の場合には、送信装置で音声キャリアを変調して監視情報を放送波に重畳し、放送区域内に設置した受信装置で受信放送波を復調して監視情報を取り出すことにより、放送波の品質劣化を監視するという方法が取られている。
【０００３】
しかし、この方法では、放送波の品質劣化を観測できたとしても、観測結果から放送波の品質劣化の原因を特定することは非常に困難であり、この方法を地上デジタル放送の場合に適用することは好ましくない。
【０００４】
そこで、地上デジタル放送の場合には、ＯＦＤＭ変調方式を採用していることから、コンスタレーション（同相成分をＸ座標、直交成分をＹ座標として信号をプロットした図）を表示する方法が提案されている（例えば、特許文献１参照）。コンスタレーションは放送波の伝送路応答を反映しているので、伝送路の劣化を明瞭に捉えることができ、監視を容易に行うことが可能である。
【特許文献１】特開２００１−２８５３７６号公報
【発明の開示】
【発明が解決しようとする課題】
【０００５】
地上デジタル放送波の品質劣化を監視する場合、放送区域内の各所での受信状況を無線パケット通信端末（携帯電話）によって監視用ホスト装置に転送し、監視用ホスト装置でコンスタレーション表示をリアルタイムに近い速度で行うことができれば、地上デジタル放送波の監視を遠方監視により効率的に行うことができる。
【０００６】
しかし、無線パケット通信の転送レートは９６００bpsと低レートであるのに対して、地上デジタル放送波をＯＦＤＭ復調して得られるコンスタレーションデータの転送レートは約８０Ｍbpsと１００００倍近い高レートである。このため、このままでは、遠方の監視用ホスト装置でコンスタレーション表示をリアルタイムに近い速度で行うことは非常に難しい。
【０００７】
本発明は、かかる点に鑑み、地上デジタル放送波の品質の高い監視を遠方監視により効率的に行うことができるようにした地上デジタル放送波監視装置を提供することを目的とする。
【課題を解決するための手段】
【０００８】
本発明の地上デジタル放送波監視装置は、受信した地上デジタル放送波から得られるコンスタレーションデータから２値画像のコンスタレーション画像を生成する画像生成部と、この画像生成部で生成されたコンスタレーション画像の監視用ホスト装置への転送制御を行う転送制御部を有するというものである。
【発明の効果】
【０００９】
本発明によれば、コンスタレーションデータから２値画像のコンスタレーション画像を生成し、これを監視用ホスト装置に転送することができるが、コンスタレーションデータは転送レートが高いのに対して、２値画像のコンスタレーション画像の総ビット数（画像サイズ）は小さいものとすることができる。
【００１０】
したがって、地上デジタル放送波の放送区域内の各所での受信状況を転送レートの低い無線パケット通信によって監視用ホスト装置に転送することができると共に、監視用ホスト装置でのコンスタレーション表示をリアルタイムに近い速度で行うことができ、地上デジタル放送波の品質の高い監視を遠方監視により効率的に行うことができる。
【発明を実施するための最良の形態】
【００１１】
以下、図１〜図１２を参照して、本発明の一実施形態について、本発明をＩＳＤＢ−Ｔ（Integrated Services Digital Broadcasting−Terrestrial）規格の地上デジタル放送波の品質劣化を監視するための装置に適用した場合を例にして説明する。
【００１２】
図１は本発明の一実施形態の概略的構成図である。図１中、１は後述する監視用端末によって生成されるコンスタレーション画像又はＳＰ（Scattered Pilot）データ画像を表示して地上デジタル放送波の品質劣化を監視するための監視用ホスト装置をなす監視用ホスト・パーソナル・コンピュータ（以下、監視用ホストＰＣという）である。
【００１３】
２はＬＡＮ（Local Area Network）ケーブルを介して監視用ホストＰＣ１に接続されたターミナル・アダプタ（ＴＡ）であり、ターミナル・アダプタ２はＩＳＤＮ（Integrated Services Digital Network）３に接続されている。
【００１４】
４、５は地上デジタル放送波を受信してコンスタレーションデータによるコンスタレーション画像又はＳＰデータによるＳＰデータ画像を選択的に生成する監視用端末である。これら監視用端末４、５は、地上デジタル放送区域内（例えば、中継放送所）に配置され、監視用ホストＰＣ１によって制御される。
【００１５】
６、７はそれぞれ監視用端末４、５に接続された受信アンテナ、８、９はそれぞれＵＳＢ（Universal Serial Bus）ケーブルを介して監視用端末４、５に接続されたパーソナル・コンピュータである。
【００１６】
１０、１１はそれぞれＲＳ−２３２Ｃケーブルを介して監視用端末４、５に接続されたＤoＰaの無線パケット通信端末であり、監視用端末４、５と監視用ホストＰＣ１との間の通信に使用するものである。１２はＤoＰaネットワーク、１３はインターネット・サービス・プロバイダ（ＩＳＰ：Internet Service Provider）である。
【００１７】
図２は監視用端末４の概略的構成図であり、監視用端末５も同様に構成されている。図２中、１４は電源回路、１５は受信アンテナ６で受信した地上デジタル放送波信号の周波数変換や選局等を行うチューナ、１６はチューナ１５から出力されるＯＦＤＭ変調信号をＯＦＤＭ復調するＯＦＤＭ復調部である。
【００１８】
ＯＦＤＭ復調部１６は、Ａ／Ｄ変換回路やＦＦＴ（Fast Fourier Transform）回路等を備えており、監視用ホストＰＣ１による制御により出力端子群１７にコンスタレーションデータ（コンスタレーションＩデータ及びコンスタレーションＱデータ）又はＳＰデータ（ＳＰ・Ｉデータ及びＳＰ・Ｑデータ）を選択的に出力するように構成されている。
【００１９】
１８はＯＦＤＭ復調部１６から出力されるコンスタレーションデータ又はＳＰデータを処理してコンスタレーション画像又はＳＰデータ画像を生成する画像生成部、１９はＯＦＤＭ復調部１６から与えられるＴＭＣＣ（Transmission and Multiplexing Configuration Control）情報を解釈して階層を設定し、変調方式（変調パラメータ）に合わせて画像生成部１８の制御等を行うＣＰＵ（Central Processing Unit）である。
【００２０】
２０は画像生成部１８から読み出されてＣＰＵ１９から転送されてくる画像データを無線パケット通信端末１０に転送するための無線パケット通信インタフェース部である。
【００２１】
２１はＯＦＤＭ復調部１６が出力するコンスタレーションデータ又はＳＰデータをアナログ信号に変換するＤ／Ａ変換部、２２はＤ／Ａ変換部２１が出力するコンスタレーションＩデータ信号又はＳＰ・Ｉデータ信号を外部に出力するための外部端子、２３はＤ／Ａ変換部２１が出力するコンスタレーションＱデータ信号又はＳＰ・Ｑデータ信号を外部に出力するための外部端子である。
【００２２】
２４はＸ入力端子２５、Ｙ入力端子２６をそれぞれ監視用端末４の外部端子２２、２３に接続された外部モニタであるオシロスコープであり、Ｄ／Ａ変換部２１が出力するコンスタレーションデータ信号によるコンスタレーション画像又はＳＰデータ信号によるＳＰデータ画像を表示させるためのものである。
【００２３】
図３は画像生成部１８の概略的構成図である。図３中、２７はＯＦＤＭ復調部１６が出力するコンスタレーションデータ又はＳＰデータを取り込むための入力バッファであり、後述するアドレス回路からアドレスを受けて、ＯＦＤＭ復調部１６が出力するイネーブル信号に同期してコンスタレーションデータ又はＳＰデータを取り込むものである。
【００２４】
２８はＣＰＵ１９からリクエスト信号（コンスタレーション表示動作を開始することを指示する信号）及びキャプチャ期間指定信号（コンスタレーションデータ又はＳＰデータを入力バッファ２７に取り込む期間を指定する信号）を受けて入力バッファ２７に対してアドレスを与えて入力バッファ２７を制御するアドレス回路である。
【００２５】
即ち、アドレス回路２８は、ＣＰＵ１９からリクエスト信号を受けて動作を開始し、入力バッファ２７に与えるアドレスをインクリメントし、ＣＰＵ１９により指定されたキャプチャ期間のコンスタレーションデータ又はＳＰデータを取り込むためのアドレスを入力バッファ２７に与え、キャプチャ期間終了後、入力バッファ２７からコンスタレーションデータ又はＳＰデータを出力させるように入力バッファ２７を制御する。
【００２６】
２９は入力バッファ２７が出力するコンスタレーションデータ又はＳＰデータをＸＹ平面上のＸＹ座標に変換するＸＹ座標変換部であり、コンスタレーションＩデータ又はＳＰ・ＩデータはＸ座標に変換され、コンスタレーションＱデータ又はＳＰ・ＱデータはＹ座標に変換される。
【００２７】
なお、コンスタレーションデータ又はＳＰデータのＩデータ及びＱデータは、８ビット構成とされているので、コンスタレーションデータ又はＳＰデータは、２５６ビット（Ｘ軸）×２５６ビット（Ｙ軸）＝６５ＫビットのＸＹ平面のＸＹ座標に変換されることになる。
【００２８】
３０はロウアドレス数を２５６、コラムアドレス数を２５６、各アドレスの記憶データ規模を１ビットとし、画像サイズを２５６ビット（Ｘ軸）×２５６ビット（Ｙ軸）＝６５Ｋビットからなる２値画像を生成、保持することができるように構成された画像用メモリである。
【００２９】
画像用メモリ３０は、初期時及びリセット時には全アドレスの記憶データを論理０とし、ＸＹ座標変換部２９から出力されるＸ座標をロウアドレス、Ｙ座標をコラムアドレスとして入力し、Ｘ座標変換部２９が出力したＸＹ座標に対応するアドレスの記憶データが論理０の場合には論理１に書き換え、既に論理１とされている場合には論理１を維持するように動作する。
【００３０】
３１は画像用メモリ３０からの画像データの読み出し時にＣＰＵ１９からスタート・ポイント・アドレス及びエンド・ポイント・アドレスを与えられると、画像用メモリ３０に対してスタート・ポイント・アドレスからエンド・ポイント・アドレスまでのアドレスを順に与えるアドレス回路である。
【００３１】
なお、画像用メモリ３０から読み出された画像データは、ＣＰＵ１９、無線パケット通信インタフェース部２０、無線パケット通信端末１０、ＤoＰaネットワーク１２、ＩＳＤＮ３及びターミナル・アダプタ２を介して監視用ホスト端末１に転送され、監視用ホスト端末１の画面にコンスタレーション画像又はＳＰデータ画像が表示される。
【００３２】
図４は本発明の一実施形態の第１動作例（画像生成部１８でコンスタレーション画像を生成し、このコンスタレーション画像を監視用ホストＰＣ１に転送して表示する場合）を説明するための図であり、（Ａ）はＯＦＤＭ復調部１６が出力するイネーブル信号、コンスタレーションＩデータ及びコンスタレーションＱデータ、（Ｂ）は画像用メモリ３０に生成されるコンスタレーション画像を示している。
【００３３】
即ち、画像生成部１８でコンスタレーション画像を生成し、このコンスタレーション画像を監視用ホストＰＣ１に転送して表示する場合には、監視用ホストＰＣ１の制御によりＯＦＤＭ復調部１６からコンスタレーションデータを選択的に出力させる。
【００３４】
そして、ＣＰＵ１９からアドレス回路２８にリクエスト信号及びキャプチャ期間指定信号を与え、アドレス回路２８から入力バッファ２７に対して必要なアドレスを与えるようにし、入力バッファ２７に、イネーブル信号に同期して、指定されたキャプチャ期間のコンスタレーションデータの取り込みを行わせる。
【００３５】
入力バッファ２７においてコンスタレーションデータの取り込みが終了すると、アドレス回路２８の制御により入力バッファ２７からコンスタレーションデータが読み出されてＸＹ座標変換部２９においてコンスタレーションデータのＸＹ座標への変換が行われ、更に、ＸＹ座標変換部２９が出力するＸＹ座標をアドレスとして画像用メモリ３０に信号点の書き込みが行われ、コンスタレーション画像の生成が行われる。
【００３６】
画像用メモリ３０においてコンスタレーション画像の生成が終了すると、ＣＰＵ１９から画像用メモリ３０の全画像データを読み出すためのスタート・ポイント・アドレス及びエンド・ポイント・アドレスがアドレス回路３１に与えられ、アドレス回路３１から画像用メモリ３０に対して全画像データを読み出すためのアドレスが与えられる。
【００３７】
この結果、画像用メモリ３０からコンスタレーション画像の全画像データが読み出されて、これがＣＰＵ１９、無線パケット通信インタフェース部２０、無線パケット通信端末１０、ＤoＰaネットワーク１２、ＩＳＤＮ３及びターミナル・アダプタ２を介して監視用ホストＰＣ１に転送される。
【００３８】
ここに、例えば、変調方式が６４ＱＡＭであり、６４個の全ての信号点が表示されたとすれば、画像用メモリ３０には図４（Ｂ）に示すようなコンスタレーション画像を得ることができ、監視用ホストＰＣ１の画面には、これに対応したコンスタレーション画像を表示させることができる。
【００３９】
この例では、ＯＦＤＭ復調部１６が出力する転送レートを約８０Ｍbpsとするコンスタレーションデータを画像生成部１８で処理して画像サイズを６５Ｋビットとする２値画像のコンスタレーション画像を生成し、これを監視用ホストＰＣ１に転送することになる。したがって、監視用ホストＰＣ１に表示するコンスタレーション画像を７〜１０秒毎に更新することができる。
【００４０】
また、例えば、図５（Ａ）に示すように、変調方式をＱＰＳＫとするＡ階層のコンスタレーションデータと、変調方式を６４ＱＡＭとするＢ階層のコンスタレーションデータとがＯＦＤＭ復調部１６から順に出力される場合には、監視用ホストＰＣ１の画面には、図５（Ｃ）に示すようなＱＰＳＫを解析したコンスタレーション画像と、図５（Ｄ）に示すような６４ＱＡＭを解析したコンスタレーション画像とを順に表示させることができる。
【００４１】
なお、図５（Ｂ）はＴＭＣＣ情報としてＣＰＵ１９に与えられるＡ階層信号（Ｈレベルの時、Ａ階層のコンスタレーションデータが出力されていることを示す）及びＢ階層信号（Ｈレベルの時、Ｂ階層のコンスタレーションデータが出力されていることを示す）を示している。
【００４２】
図６は本発明の一実施形態の第２動作例（画像生成部１８でＳＰデータ画像を生成し、このＳＰデータ画像を監視用ホストＰＣ１に転送して表示する場合）を説明するための図であり、（Ａ）はＯＦＤＭ復調部１６が出力するイネーブル信号、ＳＰ・Ｉデータ及びＳＰ・Ｑデータ、（Ｂ）は監視用ホストＰＣ１に表示されるＳＰデータ画像を示している。
【００４３】
即ち、画像生成部１８でＳＰデータ画像を生成し、このＳＰデータ画像を監視用ホストＰＣ１に転送して表示する場合には、監視用ホストＰＣ１の制御によってＯＦＤＭ復調部１６からＳＰデータを選択的に出力させる。このようにすると、第１動作例の場合と同様にして、画像用メモリ３０にＳＰデータ画像を生成し、監視用ホストＰＣ１の画面に、図６（Ｂ）に示すようなＳＰデータ画像を表示させることができる。これによっても、地上デジタル放送波の監視を行うことができる。
【００４４】
図７〜図９は本発明の一実施形態の第３動作例（画像生成部１８でコンスタレーション画像を生成し、このコンスタレーション画像の一部分を監視用ホストＰＣ１に転送して表示する場合）を説明するための図である。
【００４５】
即ち、画像生成部１８でコンスタレーション画像を生成し、このコンスタレーション画像の一部分を監視用ホストＰＣ１に転送して表示する場合には、第１動作例と同様にして、図７（Ａ）に示すように、画像用メモリ３０の画像領域３２にコンスタレーション画像を生成する。この例では、変調方式が６４ＱＡＭの場合を例にしている。
【００４６】
次に、ＣＰＵ１９から、画像用メモリ３０の画像領域３２の一部分の画像データを読み出すためのスタート・ポイント・アドレス及びエンド・ポイント・アドレスをアドレス回路３１に与える。例えば、図７（Ｂ）に示すように、画像用メモリ３０の画像領域３２の第１象限３３の画像データを読み出すためのスタート・ポイント・アドレス及びエンド・ポイント・アドレスをアドレス回路３１に与える。
【００４７】
このようにすると、アドレス回路３１から画像用メモリ３０に対して第１象限３３の画像データを読み出すためのアドレスが与えられる。この結果、画像用メモリ３０から第１象限３３の画像が切り出され、これが監視用ホストＰＣ１に転送され、監視用ホストＰＣ１には、図７（Ｃ）に示すように、第１象限３３のコンスタレーション画像を表示させることができる。なお、６４ＱＡＭの場合には、第１象限３３のコンスタレーション画像のみを表示するようにしても、１６個の信号点を持っているので、地上デジタル放送波の品質劣化を監視することができる。
【００４８】
また、変調方式が６４ＱＡＭの場合において、例えば、図８（Ａ）に示すように、画像用メモリ３０の画像領域３２上、Ｉ軸とＱ軸との交点（原点）を中心として１２８ビット×１２８ビットの画像領域３４の画像データを読み出すためのスタート・ポイント・アドレス及びエンド・ポイント・アドレスをＣＰＵ１９からアドレス回路３１に与えるようにすると、アドレス回路３１から画像用メモリ３０に対して画像領域３４の画像データを読み出すためのアドレスが与えられる。
【００４９】
この結果、画像用メモリ３０から画像領域３４の画像が切り出され、これが監視用ホストＰＣ１に転送され、監視用ホストＰＣ１の画面には、図８（Ｂ）に示すように、画像用メモリ３０の画像領域３４のコンスタレーション画像を表示させることができる。
【００５０】
また、変調方式がＱＰＳＫの場合には、例えば、図９（Ａ）に示すように、画像用メモリ３０の画像領域３２上の第１象限３３、第２象限３５、第３象限３６、第４象限３７の中心３８、３９、４０、４１をそれぞれ中心として、６４ビット×６４ビットの画像領域４２、４３、４４、４５の画像データを読み出すためのスタート・ポイント・アドレス及びエンド・ポイント・アドレスをＣＰＵ１９からアドレス回路３１に与えるようにする。
【００５１】
このようにすると、アドレス回路３１から画像用メモリ３０に画像領域４２〜４５の画像データを読み出すためのアドレスが与えられる。この結果、画像用メモリ３０の画像領域４２〜４５の画像が切り出され、これらが監視用ホストＰＣ１に転送され、監視用ホストＰＣ１の画面には、図９（Ｂ）に示すように、画像用メモリ３０の画像領域４２〜４５のコンスタレーション画像を表示させることができる。
【００５２】
ここで、画像用メモリ３０の画像領域３２のどの部分の画像を切り出して監視用ホストＰＣ１に転送するかは、ＯＦＤＭ復調部１６からＣＰＵ１９に与えられるＴＭＣＣ情報をＣＰＵ１９が解釈して、変調方式に応じて予め決定されている画像領域の画像データを読み出すことで行うことができる。
【００５３】
なお、図１０は本発明の一実施形態の第３動作例の概略的フロー図である。即ち、本発明の一実施形態の第３動作例では、まず、ＣＰＵ１９において、ＯＦＤＭ復調部１６から与えられるＴＭＣＣ情報が解釈され、ＯＦＤＭ復調部１６が出力するコンスタレーションデータの階層が設定され（ステップＳ１）、次に、アドレス回路２８にキャプチャ期間の設定が行われ（ステップＳ２）、入力バッファ２７においてコンスタレーションデータの取り込みが行われる（ステップＳ３）。
【００５４】
そして、入力バッファ２７におけるコンスタレーションデータの取り込みが終了すると、入力バッファ２７からコンスタレーションデータが出力され、ＸＹ座標変換部２９でコンスタレーションデータのＸＹ座標への変換が行われ、画像用メモリ３０に信号点の書き込みが行われ、コンスタレーションデータの画像化処理が行われる（ステップＳ４）。
【００５５】
次に、画像用メモリ３０の画像領域３２から画像の切り出し処理が行われ（ステップＳ５）、画像用メモリ３０から切り出された画像の無線パケット通信インタフェース部２０への転送が行われ（ステップＳ６）、ステップＳ２に戻る。
【００５６】
このように、第３動作例の場合には、画像用メモリ３０に生成した６５Ｋビットのコンスタレーション画像の一部分（図７〜図９の例では、１６Ｋビットの画像）を監視用ホストＰＣ１へ転送するとしているので、コンスタレーション画像の更新を第１動作例よりも短い時間（図７〜図９の例では、２秒弱）で行うことができる。
【００５７】
図１１は本発明の一実施形態の第４動作例（画像生成部１８でシンボル１〜シンボル４の４個のコンスタレーション画像を順に生成し、これら４個のコンスタレーション画像の各画像領域から１／４象限ずつ画像を監視用ホストＰＣ１に転送してコンスタレーション画像を表示する場合）を説明するための図である。
【００５８】
即ち、画像生成部１８でシンボル１〜シンボル４の４個のコンスタレーション画像を順に生成し、これら４個のコンスタレーション画像の各画像領域から１／４象限ずつ画像を監視用ホストＰＣ１に転送してコンスタレーション画像を表示する場合には、まず、画像用メモリ３０にシンボル１のコンスタレーション画像４６を生成し、画像用メモリ３０の画像領域の第１象限の画像Ａ１のみを切り出して監視用ホストＰＣ１に転送する。そして、第２象限、第３象限、第４象限の画像Ｂ１、Ｃ１、Ｄ１は捨てる。
【００５９】
次に、画像用メモリ３０をリセットし、画像用メモリ３０にシンボル２のコンスタレーション画像４７を生成し、画像用メモリ３０の画像領域の第２象限の画像Ｂ２のみを切り出して監視用ホストＰＣ１に転送する。そして、第１象限、第３象限、第４象限の画像Ａ２、Ｃ２、Ｄ２は捨てる。
【００６０】
次に、画像用メモリ３０をリセットし、画像用メモリ３０にシンボル３のコンスタレーション画像４８を生成し、画像用メモリ３０の画像領域の第３象限の画像Ｃ３のみを切り出して監視用ホストＰＣ１に転送する。そして、第１象限、第２象限、第４象限の画像Ａ３、Ｂ３、Ｄ３は捨てる。
【００６１】
次に、画像用メモリ３０をリセットし、画像用メモリ３０にシンボル４のコンスタレーション画像４９を生成し、画像用メモリ３０の画像領域の第４象限の画像Ｄ４のみを切り出して監視用ホストＰＣ１に転送する。そして、第１象限、第２象限、第３象限の画像Ａ４、Ｂ４、Ｃ４は捨てることになる。
【００６２】
このようにすると、監視用ホストＰＣ１に、シンボル１のコンスタレーション画像４６の第１象限の画像Ａ１と、シンボル２のコンスタレーション画像４７の第２象限の画像Ｂ２と、シンボル３のコンスタレーション画像４８の第３象限の画像Ｃ３と、シンボル４のコンスタレーション画像４９の第４象限の画像Ｄ４からなるコンスタレーション画像５０を表示させることができる。
【００６３】
このように、第４動作例の場合には、画像用メモリ３０に生成した６５Ｋビットのコンスタレーション画像の１／４の画像（１６Ｋビットの画像）を監視用ホストＰＣ１へ転送し、コンスタレーション画像のリアルタイム表示を擬似的に行うようにしているので、監視用ホストＰＣ１におけるコンスタレーション画像の更新を２秒弱で行うことができる。
【００６４】
図１２は本発明の一実施形態の第５動作例（オシロスコープ２４にコンスタレーション画像を表示する場合）を説明するための図であり、（Ａ）はＯＦＤＭ復調部１６が出力するイネーブル信号、コンスタレーションＩデータ及びコンスタレーションＱデータ、（Ｂ）はオシロスコープ２４の画面を示している。
【００６５】
即ち、外部モニタであるオシロスコープ２４にコンスタレーション画像を表示する場合には、Ｄ／Ａ変換部２１及びオシロスコープ２４を稼動状態にし、ＯＦＤＭ復調部１６からコンスタレーションデータを選択的に出力させる。
【００６６】
このようにすると、ＯＦＤＭ復調部１６が出力するコンスタレーションＩデータ及びコンスタレーションＱデータは、イネーブル信号に同期してＤ／Ａ変換部２１に取り込まれ、それぞれＤ／Ａ変換部２１でアナログ信号に変換され、オシロスコープ２４のＸ入力端子２５及びＹ入力端子２６に与えられる。
【００６７】
ここで、例えば、変調方式が６４ＱＡＭである場合には、図１２（Ｂ）に示すようなコンスタレーション画像を得ることができる。なお、ＯＦＤＭ復調部１６からＳＰデータを選択して出力させる場合には、同様にしてオシロスコープ２４にＳＰデータ画像を表示させることができる。
【００６８】
以上のように、本発明の一実施形態によれば、ＯＦＤＭ復調部１６から出力される転送レートを約８０Ｍbpsとするコンスタレーションデータを画像生成部１８で処理して画像サイズを６５Ｋビットとするコンスタレーション画像を生成し、その全部又は一部を監視用ホストＰＣ１に転送することができるので、地上デジタル放送波の放送区域内の各所での受信状況を転送レートの低い無線パケット通信によって監視用ホストＰＣ１で転送することができると共に、監視用ホストＰＣ１でのコンスタレーション表示をリアルタイムに近い速度で行うことができる。したがって、地上デジタル放送波の品質の高い監視を遠方監視により効率的に行うことができる。
【図面の簡単な説明】
【００６９】
【図１】本発明の一実施形態の概略的構成図である。
【図２】本発明の一実施形態が備える監視用端末の概略的構成図である。
【図３】本発明の一実施形態が備える監視用端末を構成する画像生成部の概略的構成図である。
【図４】本発明の一実施形態の第１動作例を説明するための図である。
【図５】本発明の一実施形態の第１動作例を説明するための図である。
【図６】本発明の一実施形態の第２動作例を説明するための図である。
【図７】本発明の一実施形態の第３動作例を説明するための図である。
【図８】本発明の一実施形態の第３動作例を説明するための図である。
【図９】本発明の一実施形態の第３動作例を説明するための図である。
【図１０】本発明の一実施形態の第３動作例の概略的フロー図である。
【図１１】本発明の一実施形態の第４動作例を説明するための図である。
【図１２】本発明の一実施形態の第５動作例を説明するための図である。
【符号の説明】
【００７０】
１…監視用ホスト・パーソナル・コンピュータ
２…ターミナル・アダプタ
３…ＩＳＤＮ
４、５…監視用端末
６、７…アンテナ
８、９…パーソナル・コンピュータ
１０、１１…無線パケット通信端末
１２…ＤoＰaネットワーク
１３…インターネット・サービス・プロバイダ
１４…電源回路
１５…チューナ
１６…ＯＦＤＭ復調部
１７…出力端子群
１８…画像生成部
１９…ＣＰＵ
２０…無線パケット通信インタフェース部
２１…Ｄ／Ａ変換部
２２、２３…外部端子
２４…オシロスコープ
２５…Ｘ入力端子
２６…Ｙ入力端子
２７…入力バッファ
２８…アドレス回路
２９…ＸＹ座標変換部
３０…画像用メモリ
３１…アドレス回路
【図１】
2005123937.tif 000003
【図２】
2005123937.tif 000004
【図３】
2005123937.tif 000005
【図４】
2005123937.tif 000006
【図５】
2005123937.tif 000007
【図６】
2005123937.tif 000008
【図７】
2005123937.tif 000009
【図８】
2005123937.tif 000010
【図９】
2005123937.tif 000011
【図１０】
2005123937.tif 000012
【図１１】
2005123937.tif 000013
【図１２】
2005123937.tif 000014